(57)【要約】【課題】  波長多重密度の向上及び雑音光の低減を実現した光スイッチングシステムを提供する。【解決手段】  光スイッチングシステムは、周波数・偏波情報を生成するテーブル部１００と、テーブル部からの周波数・偏波情報に基づいて、互いに波長が異なりかつ各々偏波方向が制御された複数の第１の光信号を生成し多重化して送信信号とする送信部２００と、テーブル部からの周波数・偏波情報を利用して、送信部からの送信信号から複数の第１の光信号を夫々分離し、複数の出力パスのうちのいずれかに送出するスイッチ部３００とを備える。【選択図】図２
2011008139.tif 000002
【特許請求の範囲】
【請求項１】
周波数・偏波情報を生成する周波数・偏波情報供給手段と、
互いに波長が異なりかつ各々偏波方向が制御された複数の第１の光信号を生成し、該複数の第１の光信号を多重化して送信信号として出力する送信手段と、
前記周波数・偏波情報を利用して、前記送信信号から前記複数の第１の光信号を夫々分離して複数の出力パスのうちのいずれかに送出するスイッチ手段と、
を備えることを特徴とする光スイッチングシステム。
【請求項２】
前記周波数・偏波情報は、互いに波長が異なりかつ各々偏波方向が制御された複数の第２の光信号として前記送信手段及び前記スイッチ手段へ供給されることを特徴とする請求項１に記載の光スイッチングシステム。
【請求項３】
前記送信部は、
複数の第１の発光手段と、
前記周波数・偏波情報に基づいて、前記複数の第１の発光手段の出力光の周波数を制御する周波数制御手段と、
前記複数の第１の発光手段からの出力光の偏波方向を制御して前記複数の第１の光信号とする第１の偏波制御手段と、
前記複数の第１の光信号を多重化して前記送信信号として出力する第１の光合波手段と、
を備えることを特徴とする請求項１又は２に記載の光スイッチングシステム。
【請求項４】
前記送信部は、
複数の第１の発光手段と、
前記複数の第１の発光手段の出力光の周波数を制御する周波数制御手段と、
前記複数の第１の発光手段からの出力光の偏波方向を制御して前記複数の第１の光信号とする第１の偏波制御手段と、
前記複数の第１の光信号と前記第２の光信号を合波して前記送信信号として出力する第１の光合波手段と、
を備えることを特徴とする請求項１又は２に記載の光スイッチングシステム。
【請求項５】
前記送信部は、
複数の第１の発光手段と、
前記複数の第１の発光手段の出力光の周波数を制御する周波数制御手段と、
前記複数の第１の発光手段からの出力光の偏波方向を制御して前記複数の第１の光信号とする第１の偏波制御手段と、
前記第１の光信号を多重化して前記送信信号として出力する第１の光合波手段と、
を備え、
前記周波数・偏波情報供給手段は前記周波数・偏波情報を、互いに波長が異なりかつ各々偏波方向が制御された複数の第２の光信号として前記スイッチ手段へ供給し、
前記スイッチ手段は、前記送信部から送信された前記多重化された第１の光信号と前記第２の光信号を合波することを特徴とする請求項１に記載の光スイッチングシステム。
【請求項６】
前記第１の偏波制御手段は、前記複数の第１の発光手段からの光に対して偏波方向を固定制御する請求項４又は５に記載の光スイッチングシステム。
【請求項７】
前記スイッチ手段は、前記送信信号を前記複数の出力パスに対応させて分割する分配手段と、
該分配手段により分割された分割送信信号の各々に対し、前記複数の第２の光信号のいずれかを合波し、対応する出力パスに出力されるべき前記第１の光信号を増幅する合波増幅手段と、
該合波増幅手段により増幅された光信号を通過させ、その他の光信号を減衰させる光減衰手段と、
を備えることを特徴とする請求項２に記載の光スイッチングシステム。
【請求項８】
前記周波数・偏波情報供給手段は、
前記複数の第１の光信号の各々の周波数と偏波方向、及び前記複数の第２の光信号の各々の周波数と偏波方向を決定する周波数・偏波方向決定手段と、
該周波数・偏波方向決定手段により制御され、前記複数の第２の光信号を生成する複数の第２の発光手段と、
該複数の第２の発光手段からの出力光の偏波方向を制御して前記複数の第２の光信号とする第２の偏波制御手段と、
前記複数の第２の光信号を合波する第２の光合波手段と、
を備えることを特徴とする請求項２に記載の光スイッチングシステム。
【請求項９】
周波数・偏波情報を生成し、
互いに波長が異なりかつ各々偏波方向が制御された複数の第１の光信号を生成し、該複数の第１の光信号を多重化して送信信号として出力し、
前記周波数・偏波情報を利用して、前記送信信号から前記複数の第１の光信号を夫々分離して複数の出力パスのうちのいずれかに送出する、
ことを特徴とする光スイッチング方法。
【発明の詳細な説明】
【技術分野】
【０００１】
本発明は、光スイッチングシステム及び光スイッチング方法に関し、特に、光信号を電気信号に変換することなく光信号のままスイッチングする光スイッチングシステム及び光スイッチング方法に関する。
【背景技術】
【０００２】
大容量光通信を実現する技術として、互いに異なる波長の光信号を多重化する波長多重化技術が知られている。そして、波長多重化技術における伝送容量の拡大及び波長多重密度の向上を実現する方法として、隣接する光信号の偏波方向を互いに直交させる方法がある（例えば、特許文献１参照）。
【０００３】
また、光を光で制御する光スイッチとして、四光波混合を利用する光スイッチが知られている（例えば、特許文献２参照）。
【０００４】
さらに、多重光信号の中から出力されるべき光信号を光−光相互作用により分離する光交換方法として、四光波混合を利用する方法が知られている（例えば、特許文献３参照）。
【先行技術文献】
【特許文献】
【０００５】
【特許文献１】特開２００１−２０３６３８号公報
【特許文献２】特開２００７−３３３９６２号公報
【特許文献３】特開平７−３３６２９９号公報
【発明の概要】
【発明が解決しようとする課題】
【０００６】
特許文献１に記載された技術は、光多重信号の波長多重密度を向上させ、伝送容量を拡大させるものであるが、その光多重信号のスイッチングについては不明である。
【０００７】
特許文献２に記載された技術は、一つの信号光を増幅するためのものであって、光多重信号のスイッチングを行うものではない。
【０００８】
特許文献３に記載された技術は、時分割多重されたパルス列から特定の出力部へ出力される光信号を分離するものであって、波長多重された光多重信号から特定の信号光を分離するものではない。
【０００９】
本発明は、波長多重密度の高い光多重信号を低雑音でスイッチングすることができる光スイッチングシステムを提供する。
【課題を解決するための手段】
【００１０】
本発明の一要旨によれば、周波数・偏波情報を生成する周波数・偏波情報供給手段と、前記周波数・偏波情報に基づいて、互いに波長が異なりかつ各々偏波方向が制御された複数の第１の光信号を生成し、該複数の第１の光信号を多重化して送信信号として出力する送信手段と、前記周波数・偏波情報を利用して、前記送信信号から前記複数の第１の光信号を夫々分離して複数の出力パスのうちのいずれかに送出するスイッチ手段と、を備えることを特徴とする光スイッチングシステムが得られる。
【００１１】
又、本発明の他の要旨によれば、周波数・偏波情報を生成し、互いに波長が異なりかつ各々偏波方向が制御された複数の第１の光信号を生成し、該複数の第１の光信号を多重化して送信信号として出力し、前記周波数・偏波情報を利用して、前記送信信号から前記複数の第１の光信号を夫々分離して複数の出力パスのうちのいずれかに送出する、ことを特徴とする光スイッチング方法が得られる。
【発明の効果】
【００１２】
周波数・偏波情報供給手段からの周波数・偏波情報に基づいて送信信号に含まれる光信号の周波数及び偏波方向を制御するとともに、同じく周波数・偏波情報に基づいて各出力パスに出力されるべき光信号を分離するようにしたことで、波長多重密度が高く、低雑音の光スイッチングシステムが実現される。
【図面の簡単な説明】
【００１３】
【図１】本発明の一実施の形態に係る光スイッチングシステムの概略構成を示すブロック図である。
【図２】図１の光スイッチングシステムの要部構成を示すブロック図である。
【図３】図１の光スイッチングシステムに含まれるテーブル部の構成を示すブロック図である。
【図４】本発明の一実施の形態に係る光スイッチングシステムの動作を説明するためのフローチャートである。
【発明を実施するための形態】
【００１４】
以下、図面を参照して、本発明の実施の形態について図面を参照して詳細に説明する。
【００１５】
まず、本発明の理解に必要な四光波混合について説明する。
【００１６】
３つの周波数成分ｆｉ，ｆｑ，ｆｒを持つ光を光ファイバに入射させると、光ファイバの非線形性により、これら３つの周波数成分とは異なる周波数成分ｆＦＷＭ（ｆＦＷＭ＝ｆｉ＋ｆｑ−ｆｒ）を持つ四光波混合光が発生する。
【００１７】
例えば、ｆ１＝２１０［ＴＨｚ］，ｆ２＝２０８．５［ＴＨｚ］，ｆ３＝２１２．５［ＴＨｚ］の３つの周波数成分を持つ光（偏光方向は互いに一致）を光ファイバに入射させると、以下のような、四光波混合光が発生する。
【００１８】
【数１】
2011008139.tif 000003
【００１９】
上記数１から理解されるように、発生した四光波混合光には、元の周波数成分と同一の周波数成分を持つものが含まれる。つまり、元の周波数成分は、四光波混合光により増幅される。例えば、周波数成分ｆ１は、ｆ１に等しい周波数成分を持つｆＦＷＭ＝２１０［ＴＨｚ］によって増幅される。ｆ２及びｆ３についても同様に同一周波数成分を持つｆＦＷＭ＝２０８．５［ＴＨｚ］，２１２．５［ＴＨｚ］により夫々増幅されるが、これらのｆＦＷＭは、３つの異なる周波数成分ではなく、そのうちの２つの周波数成分から発生するものであるため、ｆ１に等しい周波数成分を持つｆＦＷＭに比べその強度が弱く、増幅作用も小さい。それゆえ、上記３つの周波数成分の組み合わせは、主として周波数成分ｆ１を増幅するものとなる。
【００２０】
このことから、複数のキャリア周波数成分が多重された光信号に対して、適切に選択された周波数を持つ励起光を多重することで、特定のキャリア周波数成分のみを増幅することができることが理解される。
【００２１】
一方、３つの周波数成分を持つ光を光ファイバに入射させた場合であっても、それらのうちの１つの周波数成分の偏波方向が他の２つの周波数成分の偏波方向と直交していると、偏波方向が直交する周波数成分同士は互いに干渉しない。したがって、この場合、上述したような四光波混合光は生じないか、生じても強度の弱いものとなる。
【００２２】
このことから、あるキャリア周波数成分に対して励起光として作用し得る光周波数成分であっても、その偏波方向をそのキャリア周波数成分の偏波方向と直交させることにより、励起光として作用しないように、また雑音光とならないようにすることできることが理解される。つまり、四光波混合を利用する光スイッチングシステムでは、キャリア周波数のみならず、励起光の周波数をも考慮して周波数配置を行わなければならないが、偏波方向を制御することで、条件が緩和され、より高い波長多重密度と低雑音光を実現することができる。
【００２３】
本発明は、このような偏波制御された光による四光波混合を利用して、波長多重光信号の高多重密度化と、低雑音化を実現するものである。
【００２４】
図１は、本発明の一実施の形態に係る光スイッチングシステムの構成を示すブロック図である。
【００２５】
図１の光スイッチングシステムは、Ｎ個（Ｎは自然数）のテーブル部１００と、送信部２００と、各テーブル部１００に対応するＮ個のスイッチ部３００とを有している。
【００２６】
各テーブル部１００は、光ファイバ１０１ａを介して他のテーブル部１００に接続されており、全ての通信路３０３ａの状態情報（少なくとも各通信路で使用されている光信号の周波数情報）を他のテーブル部１００と共有している。そして、各テーブル部１００は、他のテーブル部１００と共有する情報に基づいて、周波数・偏波方向情報を生成し、送信部２００及び対応するスイッチ部３００に供給する。即ち、テーブル部１００は、周波数・偏波情報供給手段として機能する。周波数・偏波方向情報は、送信部２００において、あるキャリア周波数成分を四光波混合により増幅するのに必要とされる他の２つの周波数成分のうち一方（パスポート）を生成するために使用され、スイッチ部３００においてその２つの周波数成分のうちの他方（光判断信号）として使用される。
【００２７】
送信部２００は、Ｎ個のテーブル部１００の各々から供給される周波数・偏波方向情報に基づいて送信信号を生成し、対応するスイッチ部３００へ送出する。即ち、送信部２００は、互いに波長が異なりかつ各々偏波方向が制御された複数の第１の光信号を生成し、多重化して送信信号として出力する送信手段として機能する。
【００２８】
各スイッチ部３００は、送信部２００とｎ個（ｎは自然数）の通信路（出力パスＰ１〜Ｐｎ）３０３ａとに接続されており、送信部２００からの送信信号に含まれる複数の光信号を夫々分離して、ｎ個の通信路３０３ａのいずれかに出力する。即ち、スイッチ部３００は、周波数・偏波情報を利用して、送信信号から複数の第１の光信号を夫々分離して複数の出力パスのうちのいずれかに送出するスイッチ手段として機能する。ここで、各光信号の出力先は、対応するテーブル部１００からの周波数・偏波情報に依存する。
【００２９】
図２は、図１の光スイッチングシステムにおける一つのテーブル部１００及びそれに対応するスイッチ部３００と送信部２００（の一部）との関係を示すブロック図である。
【００３０】
テーブル部１００は、光ファイバ１０４ａを介し、周波数・偏波情報として、光信号「Ａ１、Ａ２，Ａ３，・・・，Ａｍ」（ｍは自然数）を送信部２００へ供給する。また、光ファイバ１０３ａを介し、周波数・偏波情報として、光信号「Ｂ１」，「Ｂ２」，「Ｂ３」，・・・，「Ｂｍ」をスイッチ部３００へ供給する。ここで、光信号「Ａ１、Ａ２，Ａ３，・・・，Ａｍ」は、光信号「Ｂ１」，「Ｂ２」，「Ｂ３」，・・・，「Ｂｍ」を多重化した信号である。これらの光信号は、互いに波長が異なりかつ各々偏波方向が制御された複数の第２の光信号に相当する。
【００３１】
送信部２００は、周波数制御手段としての制御系２０１と、発光手段としてのｎ個のレーザダイオード（ＬＤ）２０２と、第１の偏波制御手段としての偏波制御器２０３と、第１の光合波手段としての光合波器２０４とを備えている。制御系２０１は、テーブル部１００からの光信号「Ａ１、Ａ２，Ａ３，・・・，Ａｍ」に応じてｎ個のＬＤ２０２を制御し、所定の周波数を持つ（拡散変調された、もしくは周波数変調された）光を発生させる。
【００３２】
偏波制御器２０３は、ｎ個のＬＤ２０２からの出力光の偏波方向を制御する。
【００３３】
光合波器２０４は、偏波制御された光キャリア信号「Ｃ１」，「Ｃ２」，・・・，「Ｃｎ」を多重化し、多重化された光信号をスイッチ部３００に接続された光ファイバ２０４ａへ送出する。
【００３４】
なお、光信号「Ａ１、Ａ２，Ａ３，・・・，Ａｍ」は、光ファイバ１０４ａを介して制御系２０１へ供給される代わりに、光ファイバ１０４ｂを介して光合波器２０４に供給されてもよい。あるいは、光ファイバ１０４ｃを介してスイッチ部３００へ供給されてもよい。
【００３５】
光ファイバ１０４ｂを使用する場合は、ｎ個のＬＤ２０２からの光に対して固定的な偏波制御（例えば、奇数番目のＬＤ２０２からの光の偏光方向と偶数番目のＬＤ２０２からの光の偏光方向とが直交するような偏波制御）を行うことを前提として光信号「Ａ１，Ａ２，Ａ３，・・・Ａｍ」を生成させ、光合波器２０４において、光キャリア信号「Ｃ１」，「Ｃ２」，・・・，「Ｃｎ」と光信号「Ａ１，Ａ２，Ａ３，・・・Ａｍ」とを合波するようにすればよい。なお、この場合の光キャリア信号「Ｃ１」，「Ｃ２」，・・・，「Ｃｎ」は、光信号「Ａ１，Ａ２，Ａ３，・・・Ａｍ」に基づき拡散変調された、もしくは周波数変調された光信号ではなく、キャリア周波数成分からなる信号である。
【００３６】
光ファイバ１０４ｃを使用する場合もまた、上記と同様に生成させた光信号「Ａ１，Ａ２，Ａ３，・・・Ａｍ」を光ファイバ２０４ａに送出された光多重信号と合波するようにすればよい。
【００３７】
スイッチ部３００は、分配手段としての分配器３０２と、光減衰手段としての光減衰器３０３と、これらの間を接続し、合波増幅手段として機能する光ファイバ３０２ａとを備えている。光ファイバ３０２ａは、テーブル部１００からの光ファイバ１０３ａにも接続されている。
【００３８】
分配器３０２は、光ファイバ２０４ａを介して受けた送信部２００からの光多重信号をｎ分割し、ｎ本の光ファイバ３０２ａへ分配する。これらｎ本の光ファイバ３０２ａには、テーブル部１００に接続された光ファイバ１０３ａが、光結合器３０１等により接続されている。ｎ本の光ファイバ３０２ａへ分配された分割光多重信号は、テーブル部１００からの光信号「Ｂ１」，「Ｂ２」，「Ｂ３」，・・・，「Ｂｍ」のいずれかと多重される。テーブル部１００からの光信号「Ｂ１」，「Ｂ２」，「Ｂ３」，・・・，「Ｂｍ」は、四光波混合の励起光（２つの励起光のうちの一方）として作用し、分割光多重信号に含まれる特定の周波数の光信号を増幅する。
【００３９】
なお、図２はｎ＝ｍの例を示しているが、例えば、１本の光ファイバ３０２ａに２以上の光信号「Ｂ」を供給するよう構成した場合には、ｎ≠ｍとなる。
【００４０】
光減衰器３０３は、光信号「Ｂ１」，「Ｂ２」，「Ｂ３」，・・・，「Ｂｍ」を用いて増幅された光信号を通過させ、その他の光信号を阻止するように、各光ファイバ３０２ａを伝播する光信号を減衰させる。ｎ本の光ファイバ３０２ａは、ｎ個の通信路３０３ａと一対一に対応しており、光減衰器３０３は、各光ファイバ３０２ａの光信号を減衰させて、対応する通信路３０３ａへ出力する。
【００４１】
図３は、テーブル部１００の内部構成を示すブロック図である。
【００４２】
図示のようにテーブル部１００は、周波数・偏波方向決定手段としての周波数配置・偏波方向アルゴリズム発生制御部１０１と、第２の発光手段としてのｍ個のレーザダイオード（ＬＤ）１０２と、第２の偏波制御手段としての偏波制御器１０３と、第２の光合波手段としての光合波器１０４とを備えている。
【００４３】
周波数配置・偏波方向アルゴリズム発生部１０１は、光ファイバ１０１ａを介して他のテーブル部の周波数配置・偏波方向アルゴリズム発生部と通信し、通信路３０３ａの状態を知らせ合っている。これにより、周波数配置・偏波方向アルゴリズム発生部１０１は、他のスイッチ部の状態を認識する。そして、周波数配置・偏波方向アルゴリズム発生部１０１は、認識結果に基づいて、ｍ個のＬＤ１０２を制御する。
【００４４】
ｍ個のＬＤ１０２は、周波数配置・偏波方向アルゴリズム発生部１０１の制御の下、所定の周波数を持つ光を出力する。各ＬＤ１０２からの出力光は、偏波制御器１０３によりその偏波方向が制御され、光信号「Ｂ１」，「Ｂ２」，「Ｂ３」，・・・，「Ｂｍ」となる。光信号「Ｂ１」，「Ｂ２」，「Ｂ３」，・・・，「Ｂｍ」は、光ファイバ１０３ａを介してスイッチ部３００へ送られるとともに、光ファイバ１０３ｂを介して光合波器１０４に入力される。
【００４５】
光合波器１０４は、光信号「Ｂ１」，「Ｂ２」，「Ｂ３」，・・・，「Ｂｍ」を多重化して、光信号「Ａ１，Ａ２，Ａ３，・・・Ａｍ」を生成し、光ファイバ１０４ａを介して送信部２００へ送出する。
【００４６】
以下、図２及び図３に加え、図４をも参照して本実施の形態に係る光スイッチングシステムの動作について説明する。
【００４７】
上述したように、各テーブル部１００の周波数配置・偏波方向アルゴリズム発生制御部１０１は、他のテーブル部１００の周波数配置・偏波方向アルゴリズム発生制御部１０１と交信し、全ての通信路３０３ａの状態（全スイッチ部３００の状態）を把握している。そして、各テーブル部１００の周波数配置・偏波方向アルゴリズム発生制御部１０１は、把握した通信路３０３ａの状態に基づき、送信部２００に対して周波数・偏波情報として、光信号「Ａ１，Ａ２，Ａ３，・・・Ａｍ」（パスポート源信号ともいう）を供給する（ステップＳ４０１，Ｓ４０２）。
【００４８】
この光信号「Ａ１，Ａ２，Ａ３，・・・Ａｍ」は、スイッチ部３００のｎ本の光ファイバ３０２ａの夫々に供給される光信号「Ｂ１」，「Ｂ２」，「Ｂ３」，・・・，「Ｂｍ」を表す信号である。つまり、光信号「Ａ１，Ａ２，Ａ３，・・・Ａｍ」は、ｎ個の通信路３０３ａに至る各経路上において多重される励起光（光判断信号）に関する情報を表している。送信部２００は、この光信号「Ａ１，Ａ２，Ａ３，・・・，Ａｍ」から、どのような周波数及び偏波方向を持つ光キャリア信号を発生させれば、所望の周波数を持つ光信号を所望の通信路３０３ａへ送出することができるか（即ちパスポート）を知ることができる。
【００４９】
送信部２００の制御系２０１は、光信号「Ａ１，Ａ２，Ａ３，・・・Ａｍ」に基づいて光キャリア信号Ｃ１〜Ｃｎの周波数及び偏波方向を決定する。そして、ＬＤ２０２を制御し、光信号「Ａ１，Ａ２，Ａ３，・・・Ａｍ」に応じてキャリア周波数を拡散変調あるいは周波数変調した光を発生させる（ステップＳ４０３）。
【００５０】
換言すると、制御系２０１は、ＬＤ２０２からキャリア周波数及びパスポート周波数を発生させるか、それと同じ効果を生むようにキャリア周波数成分を変調する。
【００５１】
ＬＤ２０２からの出射光は、偏波制御器２０３に入射し、光信号「Ａ１，Ａ２，Ａ３，・・・Ａｍ」に応じて偏波制御され、光キャリア信号Ｃ１〜Ｃｎ（パスポートを持った光信号ともいう）として出力される（ステップＳ４０４）。ここでの、偏波制御は、波長多重密度を向上させ、かつ雑音光を低減させるために行われる。なお、この偏波制御は、固定されたもの（例えば、奇数番目のＬＤ１０２，２０２からの光の偏光方向と偶数番目のＬＤ１０２，２０２からの光の偏光方向とを直交させる）とすることができる。図２及び図３では、偏波制御器１０３，２０３がともに固定制御を行う場合の例を示している。偏波方向を固定制御する場合、各テーブル部１００は他のテーブル部１００との間で周波数情報のみを共有していればよい。各テーブル部１００の周波数配置・偏波方向アルゴリズム発生部１０１は、偏波制御器１０３，２０３による偏波制御を考慮して、周波数配置を決定する。偏波制御器２０３において偏波方向を変化させる場合は、光信号「Ａ１，Ａ２，Ａ３，・・・Ａｍ」を受ける制御系２０１の制御下で、ＬＤ２０２からの出射光の偏波方向を変化させるようにすることができる。
【００５２】
偏波制御器２０３からの光キャリア信号Ｃ１〜Ｃｎは、光合波器２０４に入射する。光合波器２０４は、偏波制御器２０３からの光キャリア信号Ｃ１〜Ｃｎを合波して多重光信号とし、送信信号として光ファイバ２０４ａへ送出する（ステップＳ４０５）。
【００５３】
スイッチ部３００では、分配器３０２が、光ファイバ２０４ａを介して送信部２００から送られてきた送信信号をｎ分割し、ｎ本の光ファイバ３０２ａへ分配する（ステップＳ４０６）。
【００５４】
ｎ本の光ファイバ３０２ａの各々には、テーブル部１００から光信号「Ｂ１」，「Ｂ２」，「Ｂ３」，・・・，「Ｂｍ」のいずれかが入射されており、分配器３０２からの分割多重光信号に多重される。その結果、入射された光信号「Ｂ１」，「Ｂ２」，「Ｂ３」，・・・，「Ｂｍ」に応じて、四光波混合により、分割多重光信号に含まれる特定の周波数成分が増幅される（ステップＳ４０７）。
【００５５】
光減衰器３０３は、各光ファイバ３０２ａを伝播する光信号を減衰させ、四光波混合により増幅された周波数成分以外の光信号を消滅させる。その結果、四光波混合により増幅された周波数成分を持つ光信号が、光通信路Ｐ１〜Ｐｎへ送出される（ステップＳ４０８）。これは、各通信路３０３ａへ通過させるべき光信号のみを分離したものに等しい。
【００５６】
以上のように、本実施の形態に係る光スイッチングステムでは、テーブル部から送信部及びスイッチ部に周波数・偏光方向情報を供給することにより、各キャリア信号を目的とする通信路へ送出することができる。
【００５７】
以上、本発明について実施の形態に即して説明したが、本発明は上記実施の形態に限定されるものではなく、本発明の範囲を逸脱することなく、種々の変形、変更が可能である。
【００５８】
例えば、上記実施の形態では、１つの通信路に１つのキャリア信号を送出させる例について説明したが、１つの通信路に２以上のキャリア信号を送出させるようにすることもできる。
【００５９】
また、テーブル部に設けた周波数配置・偏波方向アルゴリズム発生制御部は、送信部に設けるようにしてもよい。
【符号の説明】
【００６０】
１００    テーブル部
１０１    周波数配置・偏波方向アルゴリズム発生制御部
１０１ａ    光ファイバ
１０２    レーザダイオード
１０３    偏波制御器
１０３ａ    光ファイバ
１０３ｂ    光ファイバ
１０４ａ    光ファイバ
１０４ｂ    光ファイバ
１０４ｃ    光ファイバ
２００    送信部
２０１    制御系
２０２    レーザダイオード
２０３    偏波制御器
２０４    光合波器
２０４ａ    光ファイバ
３００    スイッチ部
３０１    光結合器
３０２    分配器
３０２ａ    光ファイバ
３０３    光減衰器
３０３ａ    通信路
【図１】
2011008139.tif 000004
【図２】
2011008139.tif 000005
【図３】
2011008139.tif 000006
【図４】
2011008139.tif 000007